(57)【要約】【課題】  高圧引下用絶縁電線を折曲が容易であるという特性を活用し、その碍子の突出体に直接固着することで、高圧引下用絶縁電線の固着の労力や作業時間及び材料費を低減する。【解決手段】  高圧引下用バインドレス碍子１の棒状絶縁物本体２の長手方向の一端から他端に向けて、断面が略コ字形状の凹部３ａを有する第一掛止用突出体３と、この第一掛止用突出体３の凹部３ａに対向するように凹部４ａを片側のみに有する第二掛止用突出体４と、第一掛止用突出体３と反対方向に凹部５ａを有する引留用突出体５とを並列形成し、更にこの棒状絶縁物本体２の長手方向の他端にバインドレス碍子取付金具７用の貫通孔６を設けた。【選択図】  図１
2005183101.tif 000002
【特許請求の範囲】
【請求項１】
棒状絶縁物本体（２）の長手方向の一端から他端に向けて形成した、断面が略コ字形状の凹部（３ａ）を有する第一掛止用突出体（３）と、
該第一掛止用突出体（３）に隣接し、該第一掛止用突出体（３）の凹部（３ａ）に対向する凹部（４ａ）を片側のみに有する第二掛止用突出体（４）と、
該第二掛止用突出体（４）に隣接し、凹部（５ａ）を有する引留用突出体（５）と、
前記棒状絶縁物本体（２）の長手方向の他端に設けた、バインドレス碍子取付金具（７）を取り付ける貫通孔（６）と、
を備えた、ことを特徴とする高圧引下用バインドレス碍子。
【請求項２】
前記引留用突出体（５）と前記貫通孔（６）との間に絶縁用条溝（８）を更に備えた、ことを特徴とする請求項１の高圧引下用バインドレス碍子。
【請求項３】
棒状絶縁物本体（２２）の長手方向の一端から他端に向けて形成した、断面が略コ字形状の凹部（２３ａ）を有する第一掛止用突出体（２３）と、
該第一掛止用突出体（２３）に隣接し、該第一掛止用突出体（２３）の凹部（２３ａ）に対向する凹部（２４）を片側のみに有する第二掛止用突出体（２４）と、
該第二掛止用突出体（２４）に隣接するネジ止形の締着用突出体（２５）と、
前記棒状絶縁物本体（２２）の長手方向の他端にバインドレス碍子取付金具（７）を取り付ける貫通孔（２６）と、
を備えた、ことを特徴とする高圧引下用バインドレス碍子。
【請求項４】
前記締着用突出体（２５）と前記貫通孔（２６）の間に絶縁用条溝（２７）を更に備えた、ことを特徴とする請求項３の高圧引下用バインドレス碍子。
【請求項５】
棒状絶縁物本体（２）の長手方向の一端から他端に向けて形成した、断面が略コ字形状の凹部（３ａ）を有する第一掛止用突出体（３）と、該第一掛止用突出体（３）に隣接し、該第一掛止用突出体（３）の凹部（３ａ）に対向する凹部（４ａ）を片側のみに有する第二掛止用突出体（４）と、該第二掛止用突出体（４）に隣接し、凹部（５ａ）を有する引留用突出体（５）と、前記棒状絶縁物本体（２）の長手方向の他端に設けた、バインドレス碍子取付金具（７）を取り付ける貫通孔（６）と、を備えた高圧引下用バインドレス碍子（１）を用いて高圧引下用絶縁電線（Ｌ）を固着する方法であって、
先ず、高圧引下用絶縁電線（Ｌ）を、引留用突出体（５）の凹部（５ａ）に引留し、その縁線側（Ｌｂ）を、凹部（４ａ）を片側のみに有する第二掛止用突出体（４）に巻き付けるように掛止し、
次に、高圧引下用絶縁電線（Ｌ）の引下側・引上側（Ｌａ）を、第二掛止用突出体（４）に掛止し、
最後に、高圧引下用絶縁電線（Ｌ）の引下側・引上側（Ｌａ）が、その縁線側（Ｌｂ）部分を第二掛止用突出体（４）へ押圧するように引下側・引上側（Ｌａ）を第一掛止用突出体（３）に固着する、ことを特徴とする高圧引下用絶縁電線の固着方法。
【請求項６】
棒状絶縁物本体（２２）の長手方向の一端から他端に向けて形成した、断面が略コ字形状の凹部（２３ａ）を有する第一掛止用突出体（２３）と、該第一掛止用突出体（２３）に隣接し、該第一掛止用突出体（２３）の凹部（２３ａ）に対向する凹部（２４ａ）を有する第二掛止用突出体（２４）と、該第二掛止用突出体（２４）に隣接するネジ止形の締着用突出体（２５）と、前記棒状絶縁物本体（２２）の長手方向の他端にバインドレス碍子取付金具（７）を取り付ける貫通孔（２６）と、を備えた高圧引下用バインドレス碍子（２１）を用いた高圧引下用絶縁電線（Ｌ）を固着する方法であって、
先ず、高圧引下用絶縁電線（Ｌ）を第一掛止用突出体（２３）の凹部（２３ａ）に掛止し、その引下側・引上側（Ｌａ）を、凹部（２４ａ）を片側のみに有する第二掛止用突用体（２４）に掛止し、
次に、高圧引下用絶縁電線（Ｌ）の縁線側（Ｌｂ）を、締着用突出体（２５）に締着して、高圧引下用絶縁電線（Ｌ）を固着する、ことを特徴とする高圧引下用絶縁電線の固着方法。
【発明の詳細な説明】
【技術分野】
【０００１】
本発明は、高圧線から高圧カットアウト等の一次側端子までの引下げに使用する高圧引下用電線を固着する際に用いる高圧引下用バインドレス碍子及び高圧引下用絶縁電線の固着方法に関するものである。
【背景技術】
【０００２】
従来の配電設備において、高圧線から高圧カットアウト等の一次側端子までの引下げに使用する高圧引下用絶縁電線を固着する際に、高圧引留碍子又は高圧ピン碍子が用いられている。高圧引下用絶縁電線については、ビニル被覆銅バインド線によるバインド打ちにより固着し、又は高圧引下線グリップの巻付けにより固着している。これらの碍子は、外形が大きく、その取り扱いが大変不便なものであった。
【０００３】
また、電線を固着するためにかなりの労力と時間をかけていた。または、高価な固着用資材を使用する必要があった（非特許文献１、非特許文献２、非特許文献３参照）。
【０００４】
【非特許文献１】中国電力株式会社一用品規格Ａ３１１／Ａ３２５
【非特許文献２】中国電力株式会社一配電工事基準一高圧引下線の施設
【非特許文献３】電気と工事７月別冊「配電線工事の実務知識」Ｐ２１とＰ３０
【０００５】
また、碍子の梱包、運搬及び作業時に容易に取り扱えるように、碍子を棒状に形成する技術が提案されている。例えば、本発明の発明者が創作した特許文献１の特願２００２−２５４１００「高圧引下用バインドレス碍子及び高圧引下用絶縁電線の固着方法」に、高圧引下用バインドレス碍子に高圧引下用絶縁電線を直接巻き付ける固着方法が提案されている。
【０００６】
【特許文献１】特願２００２−２５４１００
【０００７】
この特許文献１に記載されている高圧引下用バインドレス碍子５１は、図８に示すように、棒状絶縁本体５２の長手方向に沿って、その先端から後端に向けて１個の掛止用突出体５３と２個の巻付用突出体５４とを並設させ、この棒状絶縁本体５２の後端に碍子取付金具７を取り付ける貫通孔５６を形成したものである。
【０００８】
また、特許文献１には変形例として他の形態の高圧引下用バインドレス碍子６１が提案されている。この高圧引下用バインドレス碍子６１は、図１０に示すように、棒状絶縁本体６２の長手方向に沿って、その先端から後端に向けて２個の巻付用突出体６３を並設し、この棒状絶縁本体６２の後端に碍子取付金具７を取り付ける貫通孔６４を形成したものである。
【発明の開示】
【発明が解決しようとする課題】
【０００９】
この高圧引下用バインドレス碍子５１に、高圧引下用絶縁電線Ｌを直接巻き付けるときは、図９に示すように、先ず、中央側の巻付用突出体５４に高圧引下用絶縁電線Ｌを引留し、掛止用突出体に隣接した巻付用突出体５４に「８字」状に巻き付ける。次に高圧引下用絶縁電線Ｌｂを掛止用突出体と巻付用突出体の間に引き出す。最後にこの巻き付けた高圧引下用絶縁電線Ｌの引下側・引上側Ｌａを、引留用突出体５４および掛止用突出体５３の凹部５３ａに掛け止めて引き出して固着していた。この固着方法では、高圧引下用絶縁電線Ｌを巻付用突出体５４に巻き付けるため高圧引下用絶縁電線Ｌに交差が生じていた。
【００１０】
また、高圧引下用バインドレス碍子６１に、高圧引下用絶縁電線Ｌを固着するときは、図１１に示すように、先ず、２個並設している巻付用突出体６３の中央側の巻付用突出体に引留し、２個の巻付用突出体６３を一緒に包むように高圧引下用絶縁電線Ｌを巻き付ける。次に、この高圧引下用絶縁電線Ｌの縁線側Ｌｂを２個の巻付用突出体６３の間から引き出す。さらに、高圧引下用絶縁電線Ｌの引下側・引上側Ｌａを２個の巻付用突出体６３に袈裟懸け状に掛止して固着していた。
【００１１】
また、高圧引下用バインドレス碍子５１は掛止用突出体５３があるために、高圧引下用絶縁電線Ｌの巻き付け作業において、巻き方を間違えやすく作業のやり直しが多くなるという問題も有していた。
【００１２】
本発明は、上述した問題点を解決するために創案されたものである。すなわち本発明の目的は、高圧引下用絶縁電線を折曲が容易であるという特性を活用し、その碍子の突出体に直接固着することで、電線の巻き付けの労力や作業時間及び材料費を低減することができる高圧引下用バインドレス碍子及び高圧引下用絶縁電線の固着方法を提供することにある。
【課題を解決するための手段】
【００１３】
本発明のバインドレス碍子によれば、棒状絶縁物本体（２）の長手方向の一端から他端に向けて形成した、断面が略コ字形状の凹部（３ａ）を有する第一掛止用突出体（３）と、  該第一掛止用突出体（３）に隣接し、該第一掛止用突出体（３）の凹部（３ａ）に対向する凹部（４ａ）を片側のみに有する第二掛止用突出体（４）と、該第二掛止用突出体（４）に隣接し、凹部（５ａ）を有する引留用突出体（５）と、前記棒状絶縁物本体（２）の長手方向の他端に設けた、バインドレス碍子取付金具（７）を取り付ける貫通孔（６）と、を備えた、ことを特徴とする高圧引下用バインドレス碍子が提供される。
【００１４】
前記引留用突出体（５）と前記貫通孔（６）との間に絶縁用条溝（８）を更に備えた構造にすることが可能である。
【００１５】
また、棒状絶縁物本体（２２）の長手方向の一端から他端に向けて形成した、断面が略コ字形状の凹部（２３ａ）を有する第一掛止用突出体（２３）と、該第一掛止用突出体（２３）に隣接し、該第一掛止用突出体（２３）の凹部（２３ａ）に対向する凹部（２４）を片側のみに有する第二掛止用突出体（２４）と、該第二掛止用突出体（２４）に隣接するネジ止形の締着用突出体（２５）と、前記棒状絶縁物本体（２２）の長手方向の他端にバインドレス碍子取付金具（７）を取り付ける貫通孔（２６）と、を備えたものである。
【００１６】
前記締着用突出体（２５）と前記貫通孔（２６）の間に絶縁用条溝（２７）を更に備えた構造にすることが可能である。
【００１７】
本発明の固着方法によれば、棒状絶縁物本体（２）の長手方向の一端から他端に向けて形成した、断面が略コ字形状の凹部（３ａ）を有する第一掛止用突出体（３）と、該第一掛止用突出体（３）に隣接し、該第一掛止用突出体（３）の凹部（３ａ）に対向する凹部（４ａ）を片側のみに有する第二掛止用突出体（４）と、該第二掛止用突出体（４）に隣接し、凹部（５ａ）を有する引留用突出体（５）と、前記棒状絶縁物本体（２）の長手方向の他端に設けた、バインドレス碍子取付金具（７）を取り付ける貫通孔（６）と、を備えた高圧引下用バインドレス碍子（１）を用いて高圧引下用絶縁電線（Ｌ）を固着する方法であって、先ず、高圧引下用絶縁電線（Ｌ）を、引留用突出体（５）の凹部（５ａ）に引留し、その縁線側（Ｌｂ）を、凹部（４ａ）を片側のみに有する第二掛止用突出体（４）に巻き付けるように掛止し、次に、高圧引下用絶縁電線（Ｌ）の引下側・引上側（Ｌａ）を、第二掛止用突出体（４）に掛止し、最後に、高圧引下用絶縁電線（Ｌ）の引下側・引上側（Ｌａ）が、その縁線側（Ｌｂ）部分を第二掛止用突出体（４）へ押圧するように引下側・引上側（Ｌａ）を第一掛止用突出体（３）に固着する、ことを特徴とする高圧引下用絶縁電線の固着方法が提供される。
【００１８】
また、棒状絶縁物本体（２２）の長手方向の一端から他端に向けて形成した、断面が略コ字形状の凹部（２３ａ）を有する第一掛止用突出体（２３）と、該第一掛止用突出体（２３）に隣接し、該第一掛止用突出体（２３）の凹部（２３ａ）に対向する凹部（２４ａ）を有する第二掛止用突出体（２４）と、該第二掛止用突出体（２４）に隣接するネジ止形の締着用突出体（２５）と、前記棒状絶縁物本体（２２）の長手方向の他端にバインドレス碍子取付金具（７）を取り付ける貫通孔（２６）と、を備えた高圧引下用バインドレス碍子（２１）を用いた高圧引下用絶縁電線（Ｌ）を固着する方法であって、先ず、高圧引下用絶縁電線（Ｌ）を第一掛止用突出体（２３）の凹部（２３ａ）に掛止し、その引下側・引上側（Ｌａ）を、凹部（２４ａ）を片側のみに有する第二掛止用突用体（２４）に掛止し、次に、高圧引下用絶縁電線（Ｌ）の縁線側（Ｌｂ）を、締着用突出体（２５）に締着して、高圧引下用絶縁電線（Ｌ）を固着することも可能である。
【発明の効果】
【００１９】
上記発明の構成では、高圧引下用バインドレス碍子（１，２１）を棒状にすることにより、作業時の扱いが容易になり、絶縁用条溝（８，２７）を刻設することにより沿面放電距離を長くして小型化することができる。このように碍子全体を小型化することで、その梱包及び運搬、保管の経費を低減できる。
【００２０】
また、高圧引下用絶縁電線（Ｌ）の折曲が容易な特性を活用し、碍子の突出体に直接固着することにより、工事の労力や作業時間を短縮することができる。
【００２１】
更に、棒状絶縁物本体（２）の長手方向の一端から他端に向けて複数の第一、第二掛止用突出体（３，４）と引留用突出体（５）を並設することにより、高圧引下用絶縁電線（Ｌ）の縁線側（Ｌｂ）を引下側・引上側（Ｌａ）で押圧し、高圧引下用絶縁電線（Ｌ）の引下側・引上側（Ｌｂ）を第一掛止用突出体（３）に固着することができる。これにより、従来のように高圧引下用絶縁電線（Ｌ）の交差部分がなくなり高圧引下用バインドレス碍子（１）を、小型・軽量化することができる。
【００２２】
上記発明の方法では、高圧引下用絶縁電線（Ｌ）を、締着用突出体（２５）と第一、第二掛止用突出体（２３，２４）の凹部（２３ａ，２４ａ）に掛止し、次に、高圧引下用絶縁電線（Ｌ）の縁線側（Ｌｂ）を、締着用突出体（２５）に締着して、高圧引下用絶縁電線（Ｌ）の引下側・引上側（Ｌａ）を張設し固着することにより、高圧引下用絶縁電線（Ｌ）の交差部分や接触部分がなくなるので、高圧引下用バインドレス碍子（２１）の雷害対策ができる。また、締着用突出体（２５）のネジ止（２５ｂ）の締着方向と、高圧引下用絶縁電線（Ｌ）の引下側・引上側（Ｌａ）の張設方向を同一方向とすることにより、風等の電線振動による高圧引下用バインドレス碍子（２１）の締着の緩み防止となり風害対策ができる。
【００２３】
また、巻き付ける箇所が高圧引下用バインドレス碍子（１）の第二掛止用突出体（４）には凹部（４ａ）が所定の方向に向いているので、作業に際して、高圧引下用絶縁電線（Ｌ）を、この凹部（４ａ）に合わせて巻き付けることで、その巻き付け方法を間違えることがなくなった。
【発明を実施するための最良の形態】
【００２４】
本発明の高圧引下用バインドレス碍子は、棒状絶縁物本体の長手方向の一端から略コ字形状の第一掛止用突出体と、凹部を片側のみに形成した第二掛止用突出体と、引留用突出体をそれぞれ形成し、その他端にバインドレス碍子取付金具用の貫通孔を設けた碍子である。
【実施例１】
【００２５】
以下、本発明の好ましい実施の形態を図面を参照して説明する。
図１は本発明の高圧引下用バインドレス碍子の第一の実施例を示す斜視図である。図２は第一の実施例の高圧引下用バインドレス碍子を示す平面図である。
本発明の高圧引下用バインドレス碍子１は、棒状絶縁物本体２の長手方向の一端から後端に向けて、第一掛止用突出体３と、第二掛止用突出体４と、引留用突出体５とをそれぞれ並列するように形成したものである。
【００２６】
棒状絶縁物本体２の長手方向の一端に形成した第一掛止用突出体３は、断面が略コ字形状の凹部３ａを有し、この凹部３ａは棒状絶縁物本体２の短手方向へ向けてある。この凹部３ａに高圧引下用絶縁電線Ｌを掛け止めるようになっている。
【００２７】
この第一掛止用突出体３に隣接する位置に形成した第二掛止用突出体４は、第一掛止用突出体３の凹部３ａに対向するように凹部４ａを片側のみに形成したものである。この第二掛止用突出体４の凹部４ａの反対側は、棒状絶縁物本体２の側面と連続面４ｂ即ち面一の状態が形成されている。これは、巻き付け作業に際して、高圧引下用絶縁電線Ｌの巻き付け面を特定することにより、高圧引下用絶縁電線Ｌを間違った箇所へ巻き付けることを阻止するためである。
なお、図示例では、第一掛止用突出体３の凹部３ａが斜め下方に向き、これに対向するように第二掛止用突出体４の凹部４ａを形成してある。逆に、第一掛止用突出体３の凹部３ａの向きを反対方向に向け、これに対向するように第二掛止用突出体４の凹部４ａを形成することも勿論可能である。
【００２８】
この第二掛止用突出体４に隣接する位置に形成した引留用突出体５は、第一掛止用突出体３と反対方向に凹部５ａを有する。この引留用突出体５の凹部５ａの反対側には凹部がなく、高圧引下用絶縁電線Ｌが巻き付けられないにようになっている。
【００２９】
この棒状絶縁物本体２の長手方向の他端には貫通孔６を設け、この貫通孔６にバインドレス碍子取付金具７を取り付けている。このバインドレス碍子取付金具７は後述する電柱９の上部に取り付けた腕金１０に高圧引下線支持金物を使用して掛け止める。
【００３０】
更に、高圧引下用バインドレス碍子１には引留用突出体５と貫通孔６の間に絶縁用条溝８を設けてある。この絶縁用条溝８は、高圧引下用バインドレス碍子１を小型・軽量化するために、沿面放電距離を長くする機能を有する。
【００３１】
図３は第一の実施例の高圧引下用バインドレス碍子に高圧引下用絶縁電線を固着した状態を示す斜視図である。
この高圧引下用バインドレス碍子１に、高圧引下用絶縁電線Ｌを固着するときは、図３に示すように、先ず、高圧引下用絶縁電線Ｌを、引留用突出体５の凹部５ａに引留し、その縁線側Ｌｂを、第二掛止用突出体４に巻き付けるように掛け止める。次に、高圧引下用絶縁電線Ｌの引下側・引上側Ｌａを、第二掛止用突出体４に掛け止める。最後に、高圧引下用絶縁電線Ｌの引下側・引上側Ｌａが、その縁線側Ｌｂ部分を第二掛止用突出体４へ押圧するように引下側・引上側Ｌａを第一掛止用突出体３に固着する。
【００３２】
本発明では、第二掛止用突出体４には、凹部４ａが棒状絶縁物本体２の短手方向の片側のみに有り、その反対側は棒状絶縁物本体２の側面との連続面４ｂが形成されている。そこで、固着作業に際して、第二掛止用突出体４に高圧引下用絶縁電線Ｌを誤って交差するように掛止することができないので、その作業を迅速に進めることができる。
【００３３】
図４は第一の実施例の高圧引下用バインドレス碍子の使用可状態を示す模式説明図である。
本発明の高圧引下用バインドレス碍子は、図示するように、電柱９の上部に取り付けた上段の高圧腕金１０と下段の高圧カットアウト支持アーム１４に間において、高圧引下用絶縁電線Ｌの引上側と引下側Ｌａでそれぞれ使用するものである。例えば、高圧線から高圧碍子１１を介して、その縁線側Ｌｂから、本発明の高圧引下用バインドレス碍子１に固着し、高圧引下用絶縁電線Ｌを引下側Ｌａの高圧引下用バインドレス碍子１に固着し、高圧カットアウト１２を介して、下段の高圧カットアウト支持アーム１４上方に設置した変圧器１３に接続する。
【実施例２】
【００３４】
図５は本発明の高圧引下用バインドレス碍子の第二の実施例を示すものであり、締着ネジを締め付ける状態の斜視図である。図７は第二の実施例の高圧引下用バインドレス碍子を示す平面図である。
第二の実施例の高圧引下用バインドレス碍子２１は、棒状絶縁物本体２２の長手方向の一端から他端に向けて、第一掛止用突出体２３と、この第一掛止用突出体２３に隣接する第二掛止用突出体２４と、この第二掛止用突出体２４に隣接するネジ止形の締着用突出体２５と、他端にバインドレス碍子取付金具７を取り付ける貫通孔２６とを備えたものである。
【００３５】
棒状絶縁物本体２２の長手方向の一端に形成した第一掛止用突出体２３は、断面が略コ字形状の凹部２３ａを有し、この凹部２３ａは棒状絶縁物本体２２の短手方向へ向けてある。この凹部２３ａに高圧引下用絶縁電線Ｌを掛け止めるようになっている。
【００３６】
この第一掛止用突出体２３に隣接する位置に形成した第二掛止用突出体２４は、第一掛止用突出体２３の凹部２３ａに対向するように凹部２４ａを形成したものである。この第二掛止用突出体２４の凹部２４ａの反対側は、棒状絶縁物本体２２の側面と連続面２４ｂ即ち面一の状態が形成されている。これも第一の実施例と同様に、掛止作業に際して、高圧引下用絶縁電線Ｌの掛止面を特定することにより、高圧引下用絶縁電線Ｌを間違った箇所へ掛止することを阻止するためである。
なお、図示例では、第一掛止用突出体２３の凹部２３ａが斜め下方に向き、これに対向するように第二掛止用突出体２４の凹部２４ａを形成してある。逆に、第一掛止用突出体２３の凹部２３ａの向きを反対方向に向け、これに対向するように第二掛止用突出体２４の凹部２４ａを形成することも勿論可能である。
【００３７】
第二の実施例では、この第二掛止用突出体２４に隣接して、ネジ止形の締着用突出体２５を形成した。このネジ止形の締着用突出体２５は、棒状絶縁物本体２２の上述した第一掛止用突出体２３と第二掛止用突出体が形成されている面側に、向けてボルト部２５ａを形成したものである。このボルト部２５ａに高圧引下用絶縁電線Ｌを巻き付け、その上をネジ止２５ｂするようになっている。
【００３８】
更に、高圧引下用バインドレス碍子２１には締着用突出体２５と貫通孔２６との間に絶縁用条溝２７を設けてある。この絶縁用条溝２７も、高圧引下用バインドレス碍子２１を小型・軽量化するために、沿面放電距離を長くする機能を有するものである。
【００３９】
図７は第二の実施例の高圧引下用バインドレス碍子に高圧引下用絶縁電線を締着した状態を示す斜視図である。
この第二の実施例の高圧引下用バインドレス碍子２１に、高圧引下用絶縁電線Ｌを巻き付けるときは、図７に示すように、先ず、高圧引下用絶縁電線Ｌを第一掛止用突出体２３の凹部２３ａに掛止し、その引下側・引上側Ｌａを、第二掛止用突用体２４に掛止する。次に、高圧引下用絶縁電線Ｌの縁線側Ｌｂを、締着用突出体２５に締着して、高圧引下用絶縁電線Ｌを固着する。
【００４０】
第二の実施例では、ネジ止形の締着用突出体２５がボルト部２５ａに高圧引下用絶縁電線Ｌを巻き付け、その上をネジ止２５ｂするので、高圧引下用絶縁電線Ｌを高圧引下用バインドレス碍子２１に確実に固着することができる。
【００４１】
なお、上述した例では、棒状絶縁物本体２，２２の長手方向の一端から他端に向けて、第一掛止用突出体３，２３と、第二掛止用突出体４，２４と、引留用突出体５又はネジ止形の締着用突出体２５を備えた構造について詳述したが、高圧引下用絶縁電線Ｌを突出体に交差するように巻き付けないで固着できる構造であれば、上述した構造に限定されず、突出体の数を増したものでよく、本発明の要旨を逸脱しない範囲で種々変更できることは勿論である。
【産業上の利用可能性】
【００４２】
本発明の高圧引下用バインドレス碍子及び高圧引下用絶縁電線の固着方法は、架空配電線路に設置した電柱等の支持物に取り付けた腕金又は腕木に取り付けて利用することができる。
【図面の簡単な説明】
【００４３】
【図１】本発明の高圧引下用バインドレス碍子の第一の実施例を示す斜視図である。
【図２】第一の実施例の高圧引下用バインドレス碍子を示す平面図である。
【図３】第一の実施例の高圧引下用バインドレス碍子に高圧引下用絶縁電線を固着した状態を示す斜視図である。
【図４】第一の実施例の高圧引下用バインドレス碍子の使用可状態を示す模式説明図である。
【図５】本発明の高圧引下用バインドレス碍子の第二の実施例を示すものであり、締着ネジを締め付ける状態の斜視図である。
【図６】第二の実施例の高圧引下用バインドレス碍子を示す平面図である。
【図７】第二の実施例の高圧引下用バインドレス碍子に高圧引下用絶縁電線を固着した状態を示す斜視図である。
【図８】従来の高圧引下用バインドレス碍子を示す平面図である。
【図９】従来の高圧引下用バインドレス碍子に高圧引下用絶縁電線を固着した状態を示す斜視図である。
【図１０】従来の高圧引下用バインドレス碍子を示す平面図である。
【図１１】従来の高圧引下用バインドレス碍子に高圧引下用絶縁電線を固着した状態を示す斜視図である。
【符号の説明】
【００４４】
１  高圧引下用バインドレス碍子（第一の実施例）
２  棒状絶縁物本体
３  第一掛止用突出体
３ａ  第一掛止用突出体の凹部
４  第二掛止用突出体
４ａ  第二掛止用突出体の凹部
５  引留用突出体
５ａ  引留用突出体の凹部
６  貫通孔
７  バインドレス碍子取付金具
８  絶縁用条溝
２１  高圧引下用バインドレス碍子（第二の実施例）
２２  棒状絶縁物本体
２３  第一掛止用突出体
２３ａ  第一掛止用突出体の凹部
２４  第二掛止用突出体
２４ａ  第二掛止用突出体の凹部
２５  締着用突出体
２５ａ  ボルト部
２５ｂ  ネジ部
２６  貫通孔
２７  絶縁用条溝
Ｌ  高圧引下用絶縁電線
Ｌａ  高圧引下用絶縁電線の引下側・引上側
Ｌｂ  高圧引下用絶縁電線の縁線側
【図１】
2005183101.tif 000003
【図２】
2005183101.tif 000004
【図３】
2005183101.tif 000005
【図４】
2005183101.tif 000006
【図５】
2005183101.tif 000007
【図６】
2005183101.tif 000008
【図７】
2005183101.tif 000009
【図８】
2005183101.tif 000010
【図９】
2005183101.tif 000011
【図１０】
2005183101.tif 000012
【図１１】
2005183101.tif 000013